(57)【要約】【課題】  付け爪により指先の美しさを楽しみつつ、指先での細かなタッチパネル操作も容易且つ確実に可能とすることのできる付け爪を提供する。【解決手段】  付け爪本体11の先端近辺における付け爪本体11の内側に、通電部材21を有し、この通電部材21は、導電性ゴムであって、付け爪本体の基部側とされるこの通電部材の端部にカール形状の基部カール部27を備え、この基部カール部27が付け爪本体11の中央部又は中央部よりも先端側に位置し、付け爪本体11の先端側とされる通電部材21の端部に付け爪本体内側に突出する接触部25を有する付け爪10とするものである。【選択図】    図２
2013162915.tif 000002
【特許請求の範囲】
【請求項１】
付け爪本体の先端近辺における前記付け爪本体の内側に、通電部材を有することを特徴とする付け爪。
【請求項２】
前記通電部材は、導電性ゴムであることを特徴とする請求項１に記載した付け爪。
【請求項３】
前記通電部材は、前記付け爪本体の基部側とされる前記通電部材の端部にカール形状の基部カール部を備え、この基部カール部が付け爪本体の中央部又は中央部よりも先端側に位置することを特徴とする請求項１又は請求項２に記載した付け爪。
【請求項４】
前記通電部材は、前記付け爪本体の先端側とされる前記通電部材の端部に付け爪本体内側に突出する接触部を有することを特徴とする請求項１乃至請求項３の何れかに記載した付け爪。
【請求項５】
前記付け爪本体の中心線上先端近くの内側に２本のピンが前記付け爪本体に立設され、このピンが貫通する挿通穴を前記通電部材が備え、前記付け爪本体の内側の湾曲形状に合わせた湾曲部を備えた押え部材を、前記通電部材を貫通した前記ピンに固定して前記通電部材を前記付け爪本体に固定していることを特徴とする請求項１乃至請求項４の何れかに記載した付け爪。
【発明の詳細な説明】
【技術分野】
【０００１】
本発明は、手の指先に装着する付け爪に関するものである。
【背景技術】
【０００２】
今日、指先を美しく見せるために種々の付け爪が使用されている。
この付け爪には、自然に美しく伸びた爪の形状に似せた美しさを基調とするものがある（例えば特許文献１）。
【０００３】
また、アートネールの普及に合わせ、自分の爪に直接に模様を描いたり装飾物を張り付けるのではなく、付け爪に色模様を描いたり、装飾物を付けることが行われており、装飾物を着脱可能として変化に富んだアートネールを可能とする付け爪も提案されている（例えば特許文献２）。
【０００４】
このように、今日では、指先に自然な美しさを見せるための付け爪や、装飾性の高い付け爪など、種々の形状形態及び長さの付け爪が多用されるようになっている。
【０００５】
また、今日では、小型電子機器も多用され、携帯用電子機器では、表示画面にタッチパネルが用いられ、指先で画面に触れるだけで画面の表示を切り替えることのできる機器も普及している。
【０００６】
このタッチパネルとしては、静電容量型タッチパネルも多く使用されている現状である。
【先行技術文献】
【特許文献】
【０００７】
【特許文献１】特開２０１１−１６１１０７号
【特許文献２】特開２００２−２８２０４０号
【発明の概要】
【発明が解決しようとする課題】
【０００８】
静電容量型タッチパネルは、指先など人体が接触したときのタッチパネル上の静電気による電位変化を検知するものであるため、指先などとタッチパネルとの接触に際して非導電性物が間に挿入されると、タッチパネルが反応しなくなることがある。
【０００９】
そして、付け爪を装着した状態でタッチパネルの細部での指示入力を行うためにタッチを行おうとするとき、指先の皮膚がタッチパネル面に接する前に付け爪の先端がタッチパネル面に接してタッチパネル操作が電子機器の使用者の思い通りに反応せず、また、画面変化が予定と異なることや画面変化をしないことがあった。
【００１０】
本発明は、この様な欠点を排除し、付け爪により指先の美しさを楽しみつつ、指先での細かなタッチパネル操作も容易且つ確実に可能とすることのできる付け爪を提供するものである。
【課題を解決するための手段】
【００１１】
本発明に係る付け爪は、付け爪本体の先端近辺における前記付け爪本体の内側に、通電部材を有するものである。
【００１２】
この通電部材は、導電性ゴムであって、付け爪本体の基部側とされるこの通電部材の端部にカール形状の基部カール部を備え、この基部カール部が付け爪本体の中央部又は中央部よりも先端側に位置するものである。
【００１３】
更に、この通電部材は、付け爪本体の先端側とされる通電部材の端部に付け爪本体内側に突出する接触部を有するものである。
【００１４】
そして、付け爪本体の中心線上先端近くの内側に２本のピンが付け爪本体に立設されており、このピンが貫通する挿通穴を通電部材が備え、付け爪本体の内側の湾曲形状に合わせた湾曲部を備えた押え部材を、前記通電部材を貫通したピンに固定して通電部材を付け爪本体に固定するものである。
【発明の効果】
【００１５】
本発明に係る付け爪は、付け爪本体の先端近辺内側に通電部材を有するものであるから、この通電部材により、指先とタッチパネル面との通電を可能とすることができる。
【００１６】
そして、通電部材を導電性ゴムとすることにより指先への接触感を良好とし、基部カール部を備えるために指先先端への接触を確実とすることができる。
【００１７】
また、通電部材が付け爪本体内側に突出する接触部を有することにより、通電部材とタッチパネルとの接触を確実且つ良好に行うことができる。
【００１８】
そして、２本のピンを通電部材に貫通させて押え部材により通電部材を固定するため、通電部材を安定させて確実に付け爪本体の内側に固定することができる。
【図面の簡単な説明】
【００１９】
【図１】本発明に係る付け爪を指先に装着した状態を示す図。
【図２】本発明に係る付け爪の内側を示す斜視図。
【図３】本発明に係る付け爪の分解斜視図。
【発明を実施するための形態】
【００２０】
本発明に係る付け爪は、図１に示すように、指先51に装着したときの外表面の外観は、通常の付け爪と変わりなく、付け爪10の美しさを楽しむことのできるものである。
【００２１】
この付け爪10の内側には、図２に示すように、付け爪本体11の先端側部分に押え部材31により固定された通電部材21が組みつけられるものである。
【００２２】
この付け爪10は、図３に示すように、付け爪本体11の内側において、付け爪10の基部から先端側への中心線上であって、先端側前半分の範囲内に２本のピン15を有し、このピン15は、付け爪本体11の内側で中心線上の位置においてピン15の基部で付け爪本体11と一体化されるように立設されている。
【００２３】
そして、このピン15は、その先端側の直径を基部側の直径よりも僅かに細くし、先端位置の高さを湾曲した付け爪本体11の左右両端を結ぶ仮想線の高さ位置と略等しくしているものである。
【００２４】
そして、この２本のピン15の間隔に合わせた挿通穴29を有する平板状の取付け部23と、この取付け部23の前後両端に各々カール形状とした先端カール部25と基部カール部27とを有する導電性ゴムによる通電部材21や合成樹脂製の押え部材31、及び、合成樹脂製のカバー部材41を有するものである。
【００２５】
この押え部材31は、付け爪本体11における基部から先端側方向の中心線に沿った方向の長さにおいて通電部材21の平板形状とされた取付け部23の長さと略等しく、付け爪本体11の内側形状に合わせて左右方向に円弧状とする所要肉厚板状体の湾曲部33を有し、押え部材31の前端側である付け爪本体11の先端方向における押え部材31の端部に前壁部34を有し、付け爪10の基部方向における押え部材31の端部には後壁部35を有して内側に略半円筒形の空間を有している。
【００２６】
更に、この湾曲部33の左右中央には２本のピン15の間隔に合わせた間隔として押え筒37を有し、この押え筒37はその中心軸に沿ってピン15の基部近辺の直径に等しい直径とされて押え筒37の先端から湾曲部33の外表面に貫通する貫通穴39を有するものである。
【００２７】
従って、付け爪本体11の２本のピン15を通電部材21の挿通穴29を貫通させるようにして通電部材21を付け爪本体11の内側に装着し、押え部材31の貫通穴39に付け爪本体11の２本のピン15を挿入してピン15を貫通穴39に押し込むことにより、押え部材31の湾曲部33の表面と付け爪本体11の内側とを密着させるように近接させると、ピン15の基部が貫通穴39に嵌合され、押え部材31と付け爪本体11を一体とすることができる。
【００２８】
このとき、通電部材21は、押え部材31の湾曲部33と付け爪本体11の内側に通電部材21の取付け部23が挟まれて付け爪本体11の内側形状に合わせて付け爪本体11の内側に通電部材21が密着固定され、先端カール部25が押え部材31の前方にして付け爪本体11の先端近くの内側に位置し、基部カール部27が押え部材31の後方にして付け爪本体11の略中央付近の内側に配置されることになる。
【００２９】
更に、この付け爪10は、付け爪本体11の内側にカバー部材41をも有するものであり、このカバー部材41は、付け爪本体11の中心線に沿った長さを押え部材31の前壁部34内側と後壁部35内側との長さとし、左右の幅は押え部材31の湾曲部33の左右端部の間隔よりも僅かに狭くし、平面状の上面部47と押え部材31の湾曲部33における内側面の曲率よりも僅かに大きな曲率の曲面部43とを有して中央部分の肉厚を厚くし、付け爪本体11の先端側となるカバー部材41の前端部44に一部が開口する円筒形の嵌合穴48と、付け爪本体11の基部側となる後端部45に一部が開口する円筒形の嵌合穴48とを有し、この嵌合穴48の直径は、押え筒37の外径と等しくしているものである。
【００３０】
従って、押え部材31の押え筒37をカバー部材41の嵌合穴48に挿入すると、カバー部材41の上面部47を押え部材31の左右両端位置と略等しくして上面部47の左右両端が押え部材31の湾曲部33内側に接し、曲面部43と湾曲部33内側との間に中央部分では僅かな間隙を形成してカバー部材41が押え部材31の内側に収納されるものである。
【００３１】
尚、カバー部材41は、上面部47に対向する曲面部43の前面を湾曲形状としているも、左右両端位置近くは曲面形状として押え部材31の内側に馴染み易くし、曲面部43における左右中央近辺は上面部47と平行な平面とすることもある。
【００３２】
このようにして、押え部材31で通電部材21を固定しつつカバー部材41で押え部材31の空間を塞ぐようにしているため、付け爪10の重量増加を少なくすることができる。
【００３３】
そして、この付け爪を指50先に装着したとき、付け爪本体11の先端直近の内側に先端カール部25が位置する付け爪10の基部カール部27を指先51先端に接触させるようにして装着することができる。
【００３４】
更に、電子機器のタッチパネルに、付け爪本体11から内側に突出する先端カール部25を接触部として接触させることができ、先端カール部25をタッチパネルに接触させると通電部材21の基部カール部27が指先51の皮膚に接触しているため、通電部材21を介してタッチパネルに接触部である先端カール部25が接触した位置の電位が変化し、タッチパネル操作を行うことができる。
【００３５】
また、この先端カール部25によるタッチパネルへの接触面積は、指先51の腹の部分による接触面積よりも小さくすることが容易であり、細かなタッチパネル操作を行うことができる。
【００３６】
尚、タッチパネルへの接触部は、先端カール部25の様にカール形状とする場合のみでなく、平板状の取付け部23から半球形状として付け爪本体11の内側に突出させた接触部とすることもある。
【００３７】
更に、押え部材31の内側空間を塞ぐカバー部材41を設けることなく、押え部材31の湾曲部33の内面の形状を、湾曲部33の左右両端を結ぶ直線的平面形状とすることもできる。
【００３８】
この様に押え部材31の外周を湾曲形状として他方を平面とする断面が半月形にして棒状とされた押え部材31とする場合は、押え部材31の内部に空間を形成して押え部材31の軽量化や資材の節用を図ることが好ましい。
【符号の説明】
【００３９】
１０  付け爪
１１  付け爪本体                          １５  ピン
２１  通電部材
２３  取付け部                            ２５  先端カール部
２７  基部カール部                        ２９  挿通穴
３１  押え部材
３３  湾曲部                              ３４  前壁部
３５  後壁部                              ３７  押え筒
３９  貫通穴
４１  カバー部材
４３  曲面部                              ４４  前端部
４５  後端部                              ４７  上面部
４８  嵌合穴
５０  指                                  ５１  指先
【図１】
2013162915.tif 000003
【図２】
2013162915.tif 000004
【図３】
2013162915.tif 000005